Podtech/llm-jp-corpus-v4-ja_patent huggingface dataset:
【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】  ａ）  軽質炭化水素フィードストックを合成ガスへ転化すること
ｂ）  少なくとも合成ガスの一部を、フィッシャー−トロプシュ合成により生成物へ転
化すること
ｃ）  複数の輸送可能な生成物のうち、少なくとも二つの輸送可能な生成物の輸送温度
で測定した実蒸気圧が１５ｐｓｉａ未満であり、この二つの輸送可能な生成物の
うち少なくとも一つが２０℃を上回る流動点を示す、複数の輸送可能な生成物を
フィッシャー−トロプシュ合成物から回収すること、及び
ｄ）  少なくとも二つの該輸送可能な生成物を別々に液体状で輸送すること
を包含し、しかも、該生成物が６０重量％を上回る線状炭化水素を含有する、輸送可能なフィッシャー−トロプシュ−シンクルード生成物の製造方法。
【請求項２】  輸送方法が、海上タンカー、貨車、パイプライン、トラック、バージ又はこれらの組合せからなる群から選ばれる請求項１に記載の製造方法。
【請求項３】  それぞれの輸送可能な生成物が別々に輸送される請求項２に記載の製造方法。
【請求項４】  Ｃ1-2留分を回収すること、及び、５重量％を上回るＣ3を含有する、Ｃ3に富んだ留分を回収することをさらに包含する請求項１に記載の製造方法。
【請求項５】  Ｃ1-2留分を合成ガス発生工程の上流へ再循環すること、Ｃ1-2留分をフレヤースタック処理すること、Ｃ1-2留分を利用して水素を発生させること、Ｃ1-2留分を燃料として利用すること、Ｃ3に富んだ留分を合成ガス発生工程の上流へ再循環すること、Ｃ3に富んだ留分をフレヤースタック処理すること、Ｃ3に富んだ留分を燃料として利用すること、Ｃ3に富んだ留分を加圧タンカーで輸送すること、Ｃ3に富んだ留分を冷凍タンカーで輸送すること、及びこれらの組合せからなる工程のうち１つ以上の工程をさらに包含する請求項４に記載の製造方法。
【請求項６】  Ｃ3に富んだ留分が２０重量％を上回るＣ3を含有する請求項４記載の製造方法。
【請求項７】  Ｃ3に富んだ留分が４０重量％を上回るＣ3を含有する請求項６記載の製造方法。
【請求項８】  輸送可能なフィッシャー−トロプシュ液体シンクルード生成物の輸送温度で測定した実蒸気圧が、溶融ワックスの実蒸気圧より大きいが約１５ｐｓｉａ未満であって、その生成物の流動点が４０℃を上回る、請求項１に記載の製造方法。
【請求項９】  該生成物が７５重量％を上回る線状炭化水素を含有し、該生成物の輸送温度で測定した実蒸気圧が１１ｐｓｉａ未満である請求項８に記載の製造方法。
【請求項１０】  原油、石油留分、石油誘導生成物およびこれらの混合物から選ばれた物質をさらに含有する請求項８に記載の製造方法。
【請求項１１】  生成物の輸送温度で測定した実蒸気圧が、溶融精製ワックスの実蒸気圧より大きいが約１５ｐｓｉａ未満であって、生成物の流動点が４０℃を上回る、輸送可能なフィッシャー−トロプシュ液体シンクルード生成物。
【請求項１２】  ７５重量％を上回る線状炭化水素を含有し、該生成物の輸送温度で測定した実蒸気圧が１１ｐｓｉａ未満である請求項１１記載の生成物。
【請求項１３】  原油、石油留分、石油誘導生成物およびこれらの混合物から選ばれた物質をさらに含有する請求項１１に記載の生成物。
【請求項１４】  ａ）  １）から３）を含む方法により作られる、輸送温度で測定し
た実蒸気圧が溶融精製ワックスの実蒸気圧より大きいが約１５ｐｓｉａ未満であ
って、流動点が４０℃を上回るフィッシャー−トロプシュ液体シンクルード生成
物を第二現場で受入れること：
１）  軽質炭化水素原料を合成ガスへ転化すること、
２）  主として線状炭化水素生成物を形成するために合成ガスをフィッシャー
−トロプシュ合成にかけること、及び
３）  フィッシャー−トロプシュ合成生成物から輸送可能なフィッシャー−ト
ロプシュ液体シンクルード生成物を分離すること、
ｂ）  該輸送可能なフィッシャー−トロプシュ液体シンクルード生成物を最終販売可能        製品へ転化すること：
を包含する、お互いに遠く離れた少なくとも一つの第一現場と少なくとも一つの第二現場を含み、その一つか複数の該第一現場で、輸送可能なフィッシャー−トロプシュ液体シンクルード生成物を製造し、その生成物は該第二現場（等）で使用され、該第二現場（等）で最終販売可能製品を製造する、最終販売可能製品の製造方法。
【請求項１５】  フィッシャー−トロプシュ−シンクルード生成物が、原油、石油留分、石油誘導生成物およびこれらの混合物から選ばれた物質をさらに含有する請求項１４に記載の製造方法。
【請求項１６】  フィッシャー−トロプシュ−シンクルード生成物が７５重量％を上回る線状炭化水素を含有し、該生成物の輸送温度で測定した実蒸気圧が１１ｐｓｉａ未満である請求項１４に記載の製造方法。
【請求項１７】  該生成物の輸送温度で測定した実蒸気圧が０．０３〜４ｐｓｉａである請求項９又は１６に記載の製造方法。
【請求項１８】  該生成物の輸送温度で測定した実蒸気圧が０．０３〜４ｐｓｉａである請求項１２に記載の製造方法。
【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】  腸の炎症過程を経口的または直腸的に治療するための、ＬＰＳおよび／またはその誘導された変異体を含有する医薬。
【請求項２】  アゴニストＬＰＳを使用する、請求項１に記載の医薬。
【請求項３】  Ｅ．ＣｏｌｉからのＬＰＳを使用する、請求項１または２に記載の医薬。
【請求項４】  血清型  Ｏ２：Ｋ１：Ｈ６のＥ．ＣｏｌｉからのＬＰＳを使用する、請求項１から３までのいずれか１項に記載の医薬。
【請求項５】  血清型  Ｏ２：Ｋ１：Ｈ６のＥ．ＣｏｌｉからのＬＰＳとして、ラベス株１９３１を使用する、請求項１から４までのいずれか１項に記載の医薬。
【請求項６】  経口投与の際の投与量が、０．０５ｎｇ／ｋｇ／ｄ〜１００μｇ／ｋｇ／ｄであり、好ましくは１ｎｇ／ｋｇ／ｄ〜１０μｇ／ｋｇ／ｄである、請求項１から５までのいずれか１項に記載の医薬。
【請求項７】  感染反応による腸の炎症過程の際におこなわれる、請求項１から６までのいずれか１項に記載の医薬。
【請求項８】  毒性作用、特に化学的毒素による腸の炎症過程の際におこなわれる、請求項１から６までのいずれか１項に記載の医薬。
【請求項９】  自己免疫疾患による腸の炎症過程の際におこなわれる、請求項１から６までのいずれか１項に記載の医薬。
【請求項１０】  種々の原因による大腸炎または腸の炎症によるアレルギー反応の際におこなわれる、請求項１から６までのいずれか１項の医薬。
【手続補正２】
【補正対象書類名】明細書
【補正対象項目名】００１５
【補正方法】変更
【補正の内容】
【００１５】
溶液として使用する場合には、ペプトンに類似する、両親媒性の水溶性物質、たとえば、脂肪酸誘導体および脂質誘導体を有する水性溶剤を、ベースとして選択することは容易に考えられ、特に親油性成分を有する水溶性物質によって、溶解性の条件としての良好なミセル化が得られる。同様に、腸粘膜中での十分な溶解性および生物学的利用性を保証するために、固体の適用形が考えられる。製薬学的適用形の製造は、通常の当業者に公知の方法で、技術水準に応じておこなわれる。
【手続補正書】
【提出日】平成15年2月26日(2003.2.26)
【手続補正１】
【補正対象書類名】明細書
【補正対象項目名】請求項１
【補正方法】変更
【補正の内容】
【請求項１】
下記一般式（Ｉ）のＮ‐ベンジル‐ｍ‐フェニレンジアミン誘導体、又はこれの生理学的に温和な水溶性の塩類：
【化１】
2004519523.tif 000001
〔式中、
Ｒ１は、ハロゲン原子、Ｃ１−Ｃ４‐アルコキシ基、Ｃ１−Ｃ４‐フルオルアルコキシ基、（Ｃ１−Ｃ４‐アルキル）スルファミド‐（Ｃ２−Ｃ４‐アルコキシ）基、（Ｃ１−Ｃ４‐アルキル）スルホニル‐（Ｃ２−Ｃ４ ‐アルコキシ）基、Ｃ２−Ｃ４‐ヒドロキシアルコキシ基、Ｃ３−Ｃ４‐ジヒドロキシアルコキシ基、Ｃ１−Ｃ６‐アルキル基、Ｃ１−Ｃ４‐アルキルチオエーテル基、Ｃ２−Ｃ４‐アミノカルボニルアルコキシ基、アミノアルキル基、トリフルオルメタン基、‐Ｓｉ（ＣＨ３）３基、Ｃ１−Ｃ４‐ヒドロキシアルキル基またはＣ３−Ｃ４‐ジヒドロキシアルキル基を表し、
Ｒ２及びＲ３は独立して別々に水素またはＣ１−Ｃ４‐アルキル基であり、
Ｒ４、Ｒ５、Ｒ６、Ｒ７およびＲ８は独立して別々に水素、ハロゲン原子、ヒドロキシ基、（Ｃ１−Ｃ４）‐アルコキシ基、ヒドロキシ‐（Ｃ２−Ｃ４）‐アルコキシ基、（Ｃ１−Ｃ６）‐アルキル基、（Ｃ１−Ｃ４）‐アルキルチオエーテル基、メルカプト基、アミノ基、（Ｃ１−Ｃ６）‐アルキルアミノ基、ジ‐（Ｃ１−Ｃ６）‐アルキルアミノ基、ジ‐（ヒドロキシ‐（Ｃ２−Ｃ４）‐アルキル）アミノ基、ヒドロキシ‐（Ｃ２−Ｃ４）‐アルキルアミノ基、トリフルオルメタン基、アセトアミド基、‐Ｃ（Ｏ）ＣＨ３基、‐Ｃ（Ｏ）ＣＦ３基、‐Ｓｉ（ＣＨ３）３基、ヒドロキシ‐（Ｃ１−Ｃ４）‐アルキル基またはジヒドロキシ‐（Ｃ２−Ｃ４）‐アルキル基であり、またはＲ５およびＲ６は一緒に‐Ｏ‐ＣＨ２‐Ｏ‐橋を形成し、ただし、
‐残基Ｒ４およびＲ７または残基Ｒ５およびＲ８は同時にアミノ基を表さず、
‐Ｒ２からＲ８のすべての残基が水素である場合にＲ１はＣＨ３基ではなく、
‐Ｒ２がイソプロピル基であり、かつ残基Ｒ３からＲ８が水素である場合に、Ｒ１はＯＣＨ３基でなく、および
‐残基Ｒ３およびＲ５からＲ８が水素であり、Ｒ２がイソプロピル基を表しかつＲ４がブロムである場合に、Ｒ１は水素でない〕。
【誤訳訂正書】
【提出日】平成17年3月2日(2005.3.2)
【誤訳訂正１】
【訂正対象書類名】明細書
【訂正対象項目名】請求項３８
【訂正方法】変更
【訂正の内容】
【請求項３８】  下記式：
【化２９】
2004519507.tif 000001
〔式中：
・Ａは
【化３０】
2004519507.tif 000002
〔Ｍ+は、ｑが１又は２に等しく、かつｐがｐ×ｑ＝２となるようなものであるカチオンを表す〕より選択され；かつ
・Ｒは−〔−Ｏ−ＣＨ2−ＣＨ2−〕n−ＯＨ〔ｎは１〜１７０の整数である〕を表す〕を有する化合物を調製するための方法であって、
・アルコール官能基を含有する化合物の存在下で没食子酸を反応させる工程；
・得られた没食子酸エステルをアルカリ性媒体と接触させ、式：
【化３１】
2004519507.tif 000003
を有する化合物を形成させる工程；
・式：
【化３２】
2004519507.tif 000004
を有する複合体の形成を可能にする条件下で、金属カチオンＭq+（式中、ｑは１又は２に等しい）を添加する工程；
・緩衝剤を添加することにより、生理学的に許容されるｐＨにおいて、化合物（II）と（III）との間で得られた平衡を安定化する工程；
・得られた溶液を回収する工程を含む方法。
【手続補正書】
【提出日】平成16年11月11日(2004.11.11)
【手続補正１】
【補正対象書類名】明細書
【補正対象項目名】特許請求の範囲
【補正方法】変更
【補正の内容】
【特許請求の範囲】
【請求項１】  配列番号２に対して少なくとも約５０％の同一性を有する配列を有するψεＲＡＣＫペプチドを含む組成物であって、該ペプチドは、細胞膜を通過する輸送を容易にするのに有効な部分に連結されている、組成物。
【請求項２】  前記ペプチドが、配列番号２に対する少なくとも約７０％の同一性を有する配列を有する、請求項１に記載の組成物。
【請求項３】  前記ペプチドが、配列番号６、配列番号７、配列番号８、配列番号９、配列番号１０、配列番号１１、配列番号１２、配列番号１３、または配列番号１４として同定された配列を有する、請求項１または２に記載の組成物。
【請求項４】  前記ペプチドが、配列番号２に対して少なくとも約８０％の同一性を有する配列を有する、請求項１に記載の組成物。
【請求項５】  前記ペプチドが、配列番号６、配列番号７、配列番号１２、配列番号１３、または配列番号１４として同定された配列を有する、請求項４に記載の組成物。
【請求項６】  前記部分は、Ｎ末端システイン残基により結合されている、請求項１〜５のいずれか１項に記載の組成物。
【請求項７】  前記部分が、Ｔａｔ由来ペプチドまたはポリアルギニンペプチドである、請求項６に記載の組成物。
【請求項８】  前記Ｔａｔ由来ペプチドが、配列番号５として同定された配列を有する、請求項７に記載の組成物。
【請求項９】  虚血、低酸素、または再灌流損傷に起因するインビボ損傷を低減するのに使用するための、請求項１〜８のいずれか１項に記載の組成物。
【請求項１０】  虚血、低酸素、または再灌流損傷に起因する器官の損傷を低減するのに使用するための、請求項１〜８のいずれか１項に記載の組成物。
【請求項１１】  前記器官が、心臓、肺、肝臓、脳、および腎臓から選択される、請求項１０に記載の組成物。
【請求項１２】  虚血、低酸素、または再灌流損傷に起因する細胞損傷を低減するのに使用するための、請求項１〜８のいずれか１項に記載の組成物。
【請求項１３】  前記細胞が、心臓、肺、肝臓、脳、または腎臓に関連する、請求項１２に記載の組成物。
【請求項１４】  虚血、低酸素、または再灌流損傷に起因するインビボ損傷を低減するのに使用するための医薬の調製に使用するための、請求項１〜８のいずれか１項に記載の組成物。
【請求項１５】  虚血、低酸素、または再灌流損傷に起因する器官損傷を低減するのに使用するための医薬の調製に使用するための、請求項１〜８のいずれか１項に記載の組成物。
【請求項１６】  虚血、低酸素、または再灌流損傷に起因する細胞損傷を低減するのに使用するための医薬の調製に使用するための、請求項１〜８のいずれか１項に記載の組成物。
【請求項１７】  前記組成物が、静脈内、非経口、皮下、吸入、鼻腔内、舌下、粘膜、および経皮からなる群より選択される経路により投与されるために処方されている、請求項９〜１６のいずれか１項に記載の組成物。
【請求項１８】  前記組成物が、冠状動脈を通じて心臓に注入することにより投与される、請求項９、１０、１２、１４、１５、または１６のいずれか１項に記載の組成物。
【請求項１９】  前記細胞損傷が心筋細胞に対する損傷である、請求項９、１０、１２、１４、１５、または１６のいずれか１項に記載の組成物。
【請求項２０】  前記組成物が、虚血、低酸素、または再灌流の前に投与される、請求項９〜１６のいずれか１項に記載の組成物。
【請求項２１】  前記組成物が、虚血、低酸素、または再灌流の後に投与される、請求項９〜１６のいずれか１項に記載の組成物。
【請求項２２】  前記組成物が、虚血、低酸素、または再灌流の間に投与される、請求項９〜１６のいずれか１項に記載の組成物。
【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】
（ａ）水溶性または水で稀釈できるアクリレート・オリゴマー類の群から選ばれる第１バインダー化合物；
（ｂ）場合により添加される、粘度を調節するための水溶性または水で稀釈できるPEG ジアクリレートまたはポリエトキシル化ポリオール・トリアクリレート単量体を含む群から選ばれる第２単量体バインダー化合物；
（ｃ）電磁放射線または電子ビーム放射線の照射で、そのバインダーの重合を開始するための光開始剤；
（ｄ）場合により用いられる添加剤、望ましくは顔料、充填剤、光増感剤、光安定剤、乳化剤、セキュリティ顔料；
を含む組成物であって、ここで、該第１バインダー（ａ）と場合により添加される該第２バインダー（ｂ）が、その組成物を、 0〜0.5 ％、望ましくは 0.1〜 0.3％、そしてより望ましくは 0.1〜0.2 ％の濃度の水酸化ナトリウム含む水系拭き取り溶液に実質的に完全に分散させるために選ばれる、凹版印刷インキ組成物。
【請求項２】  該第１バインダー成分が、水溶性または水で稀釈できるウレタンアクリレートオリゴマーである、請求項１に記載の凹版印刷インキ組成物。
【請求項３】  該第１バインダー成分が、水溶性または水で稀釈できるエポキシアクリレートオリゴマーである、請求項１に記載の凹版印刷インキ組成物。
【請求項４】  該第１バインダー成分が、水溶性または水で稀釈できるアクリル系アクリレートオリゴマーである、請求項１に記載の凹版印刷インキ組成物。
【請求項５】  該第１バインダー成分が、水溶性または水で稀釈できるポリエステルアクリレートオリゴマーである請求項１に記載の凹版印刷インキ組成物。
【請求項６】  該第１バインダー成分が、請求項２から５に記載の水溶性または水で稀釈できるオリゴマーの混合物である、請求項１に記載の凹版印刷インキ組成物。
【請求項７】  該組成物の粘度が、40℃で 7〜60Pa.ｓ、望ましくは12〜40Pa.ｓ、そしてより望ましくは15〜30Pa.ｓである、請求項１から６の一項に記載の凹版印刷インキ組成物。
【請求項８】  バインダー（ａ）の粘度が、40℃で 5〜40Pa.ｓである、請求項１から７の一項に記載の凹版印刷インキ組成物。
【請求項９】  バインダー（ａ）の分子量Ｍｗが、 1,500〜10,000g/moleである、請求項１から８の一項に記載の凹版印刷インキ組成物。
【請求項１０】  水溶性または水で稀釈できるアクリレートオリゴマーの含有量が、そのインキ組成物の総重量に対して、30〜70重量％、望ましくは40〜60重量％そしてより望ましくは45〜55重量％であることを特徴とする、請求項１から７の一項に記載の凹版印刷インキ組成物。
【請求項１１】  水溶性または水で稀釈できるPEG ジアクリレートまたはポリエトキシル化ポリオール・トリアクリレート単量体の含有量が、そのインキ組成物の総重量に対して 5〜25重量％、望ましくは10〜20重量％そしてより望ましくは10〜15重量％であることを特徴とする、請求項１から１０の一項に記載の凹版印刷インキ組成物。
【請求項１２】  該光開始剤が、第１バインダー（ａ）と第２バインダー（ｂ）のラジカル重合反応を開始できる能力があることを特徴とする、請求項１から１１の一項に記載の凹版印刷インキ組成物。
【請求項１３】  該光開始剤が、アセトフェノンまたはベンゾフェノン・タイプの化合物からなる群から選ばれることを特徴とする、請求項１２に記載の凹版印刷インキ組成物。
【請求項１４】  該光開始剤が 300nm〜450nm の波長で最大吸収を有することを特徴とする、請求項１３に記載の凹版印刷インキ組成物。
【請求項１５】  その光増感剤が、例えば、イソプロピル‐チオキサントン(ITX) 、1-クロロ‐2-プロポキシ‐チオキサントン(CPTX)、2-クロロ‐チオキサントン(CTX) および、2,4-ジエチル‐チオキサントン(DETX)およびそれらの混合物からなるチオキサントン・グループの化合物から選ばれることを特徴とする、請求項１から１１の一項に記載の凹版印刷インキ組成物。
【請求項１６】  そのインキ組成物の早過ぎる重合を防ぐために UV-安定剤が添加されることを特徴とする請求項１から１５の一項に記載の凹版印刷インキ組成物。
【請求項１７】  この組成物の顔料含有量が、インキ組成物の総重量に対して 3〜15重量％、望ましくは 5〜12重量％、そしてより望ましくは 7〜10重量％であることを特徴とする、請求項１から１６の一項に記載の凹版印刷インキ組成物。
【請求項１８】  この組成物の充填剤含有量が、インキ組成物の総重量に対して20〜50重量％、望ましくは25〜40重量％、そしてより望ましくは25〜35重量％であることを特徴とする請求項１から１７の一項に記載の凹版印刷インキ組成物。
【請求項１９】  該充填剤が、オイル吸収の少ない炭酸カルシウムのグレードから選ばれることを特徴とする、請求項１８に記載の凹版印刷インキ組成物。
【請求項２０】  該組成物の粘度が、40℃で 7〜60Pa.ｓ、望ましくは12〜40Pa.ｓ、そしてより望ましくは15〜30Pa.ｓの値を有するように調整され；この粘度調整には、水溶性または水で稀釈できるPEG-ジアクリレートまたはポリエトキシル化ポリオール・トリアクリレート単量体を添加する工程が含まれる請求項１から１９の一項に記載の凹版印刷インキ組成物を製造する方法。
【請求項２１】   0〜0.5 ％、望ましくは 0.1〜 0.3％、そしてより望ましくは 0.1〜0.2 ％の濃度の水酸化ナトリウムを含んでいる水系拭き取り溶液を含む拭き取りシステムを含む凹版印刷法において、請求項１から１９の一項に記載の組成物を使用すること。
【請求項２２】   0〜0.5 ％、望ましくは 0.1〜 0.3 ％、そしてより望ましくは 0.1〜0.2 ％の濃度の水酸化ナトリウムを含む拭き取り溶液を含んでいる拭き取りシステムを含む凹版印刷法であって、そして、その廃インキが、無機の金属ハロゲン化物または硫酸塩溶液を添加することにより拭き取り溶液から分離される凹版印刷法で、請求項１から１９の一項に記載の放射線硬化性凹版印刷インキ組成物を施す方法。
【請求項２３】  凹版印刷機の拭き取り溶液中に分散されている、請求項１から１９の一項に記載の凹版印刷インキ組成物を、無機の金属ハロゲン化物または硫酸塩の溶液を添加することにより沈殿させる方法。
【請求項２４】  該拭き取り溶液の温度を20〜50℃、望ましくは20〜40℃、そしてより望ましくは25〜35℃の値に調節する工程を含む、請求項２３に記載の凹版印刷インキ組成物を沈殿させる方法。
【請求項２５】  該インキ組成物を、20〜60ミクロン、望ましくは30〜50ミクロンのフィルム厚で、基材上に印刷する工程、およびインプリントを電磁放射線または電子ビーム放射線を照射することにより硬化する工程を含む、請求項１から１９の一項に記載の凹版印刷インキ組成物を用いて基材上に凹版印刷インプリントを調製する方法。
【請求項２６】  請求項１から１９の一項に記載の凹版印刷インキ組成物により、および／または、請求項２５に記載の凹版印刷インプリントを調製する方法により調製されたインプリントを含むセキュリティ書類。
【手続補正書】
【提出日】平成17年4月12日(2005.4.12)
【手続補正１】
【補正対象書類名】明細書
【補正対象項目名】特許請求の範囲
【補正方法】変更
【補正の内容】
【特許請求の範囲】
【請求項１】  実質的に又は全体的に溶融されており、かつ、蒸留塔内においてジルコニウム及びハフニウムの蒸気に対する逆流として流動する溶剤を用いて該蒸気を選択吸収することにより、ジルコニウム及びハフニウムの四塩化物を連続的に分離する方法であって、溶融溶剤が、第１に、アルカリ金属塩化物及び酸性金属塩化物Ａで構成される塩を含むアルカリ金属性溶剤、及び第２に、該酸性金属塩化物Ａの酸性度より低い酸性度を有する酸性金属又はメタロイド塩化物Ｂを含むことを特徴とする該方法。
【請求項２】  溶融溶剤が、アルカリ性クロロアルミネート又はクロロフェレート又はそれらの混合物、及び酸性金属又はメタロイド塩化物Ｂを含む請求項１に記載の方法。
【請求項３】  酸性金属又はメタロイド塩化物Ｂが、アルカリ土類金属及び／又は遷移金属及び／又はメタロイド塩化物を含む請求項１又は２に記載の方法。
【請求項４】  酸性金属又はメタロイド塩化物Ｂが、酸化度２を有する請求項３に記載の方法。
【請求項５】  金属が、Ｍｇ、Ｚｎ、Ｃｕ、Ｎｉ、Ｃｏ、Ｆｅ、Ｐｂ及びＳｎからなる群より選ばれる請求項３又は４に記載の方法。
【請求項６】  酸性金属又はメタロイド塩化物Ｂが、塩化マグネシウム及び／又は塩化亜鉛である請求項３に記載の方法。
【請求項７】  アルカリ性溶剤中におけるアルカリ金属塩化物が、その金属としてＬｉ、Ｎａ、Ｋ又はＣｓを含む請求項１〜６のいずれか１項に記載の方法。
【請求項８】  アルカリ性溶剤中における酸性金属塩化物Ａが、ＡｌＣｌ3及び／又はＦｅＣｌ3を含む請求項１〜６のいずれか１項に記載の方法。
【請求項９】  アルカリ性溶剤が、ＡｌＣｌ3＋ＫＣｌ及び／又はＦｅＣｌ3＋ＮａＣｌを含む請求項１〜６のいずれか１項に記載の方法。
【請求項１０】  アルカリ性溶剤中において、酸性金属塩化物Ａのアルカリ金属塩化物に対するモル比が、０．７〜１．３の範囲内にある請求項１〜９のいずれか１項に記載の方法。
【請求項１１】  酸性金属又はメタロイド塩化物Ｂの酸性金属塩化物Ａに対するモル比が、０．０１〜１．５の範囲内にある請求項１〜１０のいずれか１項に記載の方法。
【請求項１２】  約２５０〜約５５０℃の範囲内の温度で行われる請求項１〜１１のいずれか１項に記載の方法。
【請求項１３】  ジルコニウム及びハフニウムの四塩化物を分離するための、請求項１〜１１のいずれか１項に記載の溶剤の使用。
【請求項１４】  使用される溶剤が、部分的、実質的又は全体的に溶融されている請求項１３に記載の使用。
【手続補正２】
【補正対象書類名】明細書
【補正対象項目名】０００５
【補正方法】変更
【補正の内容】
【０００５】
定義では、塩化物は、Ｃｌ-イオンと結合可能であるのなら“酸”であるとされる。用語“弱い(weaker)”は、金属塩化物Ｂの酸性度に関し、酸性金属（又はメタロイド）塩化物Ｂ中における塩素に結合する元素が、酸性金属塩化物Ａ中における塩素に結合する元素よりも、Ｃｌ-イオンに対する結合性が低いことを意味する。塩化物又は塩化物の混合物の酸性度、即ち、ｐＣｌ＝ｌｏｇ［Ｃｌ-］により定義されるそのｐＣｌは、塩化物又はその混合物のフリーポテンシャル(free potential)を測定することによる単純な方法により測定することができる。
それは、アルミニウムワイヤー上において、ＡｌＣｌ3−ＫＣｌのＫＣｌ−飽和混合物中に浸されたアルミニウムワイヤーからなる参照電極に関連して測定することで足りる。ｐＣｌは、式Ｅ＝Ｅ0−（４ＲＴ／３Ｆ）ｌｎ[Ｃｌ-]
（式中、Ｅ0＝塩化物又は塩化物の混合物のフリーポテンシャル；Ｒ＝８．３１４（一定）；Ｔ＝ケルビン温度；Ｆ＝ファラデー定数；ｌｎ[Ｃｌ-]＝Ｃｌ-イオン濃度の自然対数）により得られる。
酸性金属又はメタロイド塩化物Ｂは、特には、アルカリ土類金属（例えばＭｇ）の塩化物、遷移金属（例えばＺｎ、Ｃｕ、Ｎｉ、Ｃｏ及び場合によりＦｅ；Ｚｎ及びＣｕが好ましい遷移金属である）の塩化物、又は数種のメタロイド、例えばＰｂ及びＳｎの塩化物からなる群より選ばれる。酸性金属塩化物Ｂは、好ましくは、酸化度ＩＩを有する。有利には、それらは、また、混合物中において配位数４を有する。塩化マグネシウムＭｇＣｌ2及び／又は塩化亜鉛ＺｎＣｌ2が好ましい。
【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】架橋した状態において減少されたヒステリシスを有する架橋性又は架橋ゴム組成物であって、重量車両又は建設車両タイヤ用のクラウン補強材に使用できるゴム組成物において、前記組成物が、天然ゴム又は合成ポリイソプレンを多量成分として含むエラストマーマトリックスと、カーボンブラックを含む強化充填剤とを含み、前記カーボンブラックが、次の条件の全てに合致する事を特徴とするゴム組成物：
（i）４５≦ＣＴＡＢ比表面積（ｍ2／ｇ）（ＡＳＴＭ Ｄ−３７６５−８０による）≦７０、
（ii）４５≦ＢＥＴ比表面積（ｍ2／ｇ）（ＡＳＴＭ Ｄ−４８２０−９３による）≦７０、
（iii）４５≦沃素吸着指数ＩＡ（ｍｇ／ｇ）（ＡＳＴＭ Ｄ−１５１０−８１による）≦７０、
（iv）（ＢＥＴ比表面積／沃素吸着指数ＩＡ）の比≦１．０７、
（v）１１５≦ＤＢＰ構造値（ｍｌ／１００ｇ）（ＡＳＴＭ Ｄ−２４１４−９３による）≦１７０、
（vi）８５≦ストークス直径ｄｓｔ（ｎｍ）≦１４５、
（ここで、ｄｓｔは、凝集体の分布におけるストークス直径の最大頻度に相当する凝集体の直径である）、及び
（vii）Ｄ５０／ｄｓｔ≧０．００９０．ＣＴＡＢ＋０．１９
（ここで、Ｄ５０は、凝集体の分布における、ストークス直径の最大頻度の５０％に等しい頻度に相当する二つの凝集体のストークス直径の間の差であり、ｄｓｔとＤ５０は遠心光沈降計により測定される）。
【請求項２】前記条件（viii）が、
（viii）８５≦ＤＢＰＣ構造値（ｍｌ／１００ｇ）≦１２５、
である請求項１に記載のゴム組成物。
【請求項３】前記条件（iv）が、
（iv）（ＢＥＴ比表面積／沃素吸着指数ＩＡ）の比≦１．０５、
である請求項１または２に記載のゴム組成物。
【手続補正書】
【提出日】平成17年3月8日(2005.3.8)
【手続補正１】
【補正対象書類名】明細書
【補正対象項目名】特許請求の範囲
【補正方法】変更
【補正の内容】
【特許請求の範囲】
【請求項１】  タイヤトレッドを構成する為に使用できる架橋性又は架橋ゴム組成物であって、前記組成物が、少なくとも、一種以上のジエンエラストマーと、グリセロールオレイン酸トリエステルを含む可塑剤とをベースとし、前記可塑剤が、少なくとも一種のグリセロール脂肪酸トリエステルを、該脂肪酸によって形成される凝集体が前記オレイン酸を６０％以上の質量分率で含む様に含む、石油から抽出されたものではない一種以上の合成及び／又は天然化合物を４５％〜１００％の質量分率で含み、且つ、パラフィン系、芳香族系又はナフテン系の、石油から抽出された一種以上の可塑化用油を５５％〜０％の質量分率で含む事を特徴とするゴム組成物。
【請求項２】  前記可塑剤が、石油から抽出されたものではない化合物として、前記グリセロールオレイン酸トリエステルを含む少なくとも一種の合成化合物を含む、請求項１に記載のゴム組成物。
【請求項３】  ゴム組成物が、１０〜４０ｐｈｒの量の、石油から抽出されたものではない前記化合物と、０〜３０ｐｈｒの量の、石油から抽出された前記油を含む、請求項１または２に記載のゴム組成物。
【請求項４】  ゴム組成物が、ジエンエラストマーとして、５０ｐｈｒ〜１００ｐｈｒの量の、−６５℃〜−１０℃のガラス転移温度を有する一種以上のジエンエラストマーすなわち多量成分エラストマーと、５０ｐｈｒ〜０ｐｈｒの量の、−１１０℃〜−８０℃のガラス転移温度を有する一種以上のジエンエラストマーすなわち少量成分エラストマーとを含む、請求項１〜３の何れか一項に記載のゴム組成物。
【請求項５】  請求項１〜４の何れか一項に記載のゴム組成物を含むタイヤ用トレッドを含むタイヤ。
【手続補正書】
【提出日】平成15年11月28日(2003.11.28)
【手続補正１】
【補正対象書類名】特許請求の範囲
【補正対象項目名】全文
【補正方法】変更
【補正の内容】
【特許請求の範囲】
【請求項１】
望ましいフレーバーまたは官能特性の量が増加した芳香を放出する芳香含有成分の調製方法であって、芳香含有成分を、芳香含有成分と会合した化合物と化学的に相互作用する少なくとも1個の孤立電子対を有する少なくとも1個の原子を含む親核試薬の芳香改良剤で処理して、(a)芳香の所望なフレーバーまたは官能特性を供給または改良する化合物の量が増加し、または(b)所望なフレーバー特性を抑制する、または望ましくない特性に寄与しまたはそれを生成させる化合物の量が減少した改良芳香を生成させ、処理した芳香含有成分を保管した後、食物、飲料、食物形成または飲料形成材料の他の成分と接触させ、且つ場合によっては液体と接触させて消費用の製品を形成し、未処理の芳香含有成分と比較して製品が改良されたまたは高められた芳香を含むようにすることを含んでなる、上記方法。
【請求項２】
芳香改良剤が硫黄、窒素、酸素または炭素の少なくとも1個の原子を含み、且つチオールを含むか、または生成し、および芳香含有成分と会合した化合物と反応して所望な化合物を生成しまたは望ましくない反応性化合物を除去する親核試薬である、請求項1に記載の方法。
【請求項３】
改良剤がSO2、亜硫酸塩、または亜硫酸塩、チオール、アミンまたはアミノ酸を含むか、または生成する物質である、請求項1に記載の方法。
【請求項４】
芳香改良剤がシステインまたはグルタチオン、またはそれらの塩の一つを含んでなる、請求項1に記載の方法。
【請求項５】
芳香改良剤を、続いて加工処理して改良芳香を得る芳香含有成分に加える、請求項1に記載の方法。
【請求項６】
芳香含有成分が、焙煎の前に、芳香改良剤の溶液にコーヒー豆を浸漬し、芳香改良剤の粉末を豆と混合し、または豆を芳香改良剤を含むガス状環境に暴露した後、処理したコーヒー豆の焙煎によって改良芳香を得ることによって処理するコーヒー豆である、請求項1に記載の方法。
【請求項７】
芳香含有成分が焙煎して芳香を生成するコーヒー豆であり、この芳香を芳香改良剤と接触させて改良芳香を形成することを含んでなり、芳香が芳香改良剤を含むガス状環境、芳香改良剤の溶液、または場合によってはキャリヤーによって支持される芳香改良剤の固形形態に接触する、請求項1に記載の方法。
【請求項８】
芳香含有成分が焙煎したコーヒー豆であり、焙煎した豆を芳香改良剤の溶液で急冷した後、急冷した豆を粉砕して改良芳香を生成することを含んでなる、請求項1に記載の方法。
【請求項９】
コーヒー豆を焙煎し、焙煎した豆を粉砕して改良芳香を得ることを更に含んでなり、芳香改良剤を粉砕段階中に豆に加える、請求項1に記載の方法。
【請求項１０】
芳香含有成分がロブスタコーヒー豆であり、芳香改良剤がハーシ、ラバリー、アーシーノートを減少させ、滑らかさを向上させる、請求項1に記載の方法。
【請求項１１】
芳香含有成分が低級アラビカコーヒー豆であり、芳香改良剤が醗酵、バギー、ウッディー、グラウンジーまたはシリアルノートを減少させ、ロースティーネス(roastiness)を向上させる、請求項1に記載の方法。
【請求項１２】
芳香含有成分が焙煎して粉砕したコーヒー粒子を含んでなり、水を粒子と合わせることによって製造されるコーヒー飲料の分配前に芳香改良剤を加える、請求項1に記載の方法。
【請求項１３】
粒子を水で抽出して溶液を形成し、溶液から水蒸気で揮発分をストリッピングし、ストリッピングした揮発分を濃縮して芳香濃縮物を得ることを更に含んでなり、芳香改良剤を抽出水、ストリッピング水蒸気または芳香濃縮物に加えて、改良芳香を供給する、請求項14に記載の方法。
【請求項１４】
親核試薬で処理されて、未処理芳香含有成分と比較して改良芳香を放出する芳香含有成分であって、芳香の所望なフレーバーおよび官能特性の量が増加し、望ましくないフレーバーまたは官能特性が減少し、または両方であり、処理した芳香供給成分を保管した後、食物、飲料、食物形成または飲料形成材料の他成分、および場合によっては液体と接触させて消費用製品を形成し、この製品が未処理芳香含有成分と比較して改良されたまたは高められた芳香を有する、上記成分。
【請求項１５】
芳香が、未処理成分と比較して下記の特性
チオールの量が増加、または
カルボニル、アルデヒドまたはジケトン残基の量が同一であるかまたは減少の1個以上を含んでなり、改良芳香が、一層大きな知覚可能な濃度のロースティー、サルファリー、ナッツィー、フレッシュネスおよび全般的に良好なフレーバーノートを含んでなり、ラバリー、バギー、ハーシ、ウッディー、グラウンジー、プロセッシー、プルーネー、糖蜜、酸化または醗酵ノートが減少した、請求項14に記載の成分。
【請求項１６】
芳香含有成分が加工処理されてコーヒー芳香を供給するコーヒー芳香生成材料である、請求項15に記載の成分。
【請求項１７】
コーヒー芳香をロブスタコーヒー豆または低級アラビカコーヒー豆から得て、芳香の官能特性が、未処理成分と比較して、より少ない量まで且つ一層長時間放出される、請求項16に記載の成分。
【請求項１８】
芳香含有成分を含む食物または飲料を調製し、官能特性の65-90%は初期に放出され、残りの量は約3-25分間にわたって放出される、請求項15に記載の成分。
【請求項１９】
請求項1-13のいずれか一項に記載の方法によって得られる処理した芳香含有成分。
【手続補正書】
【提出日】平成15年12月3日(2003.12.3)
【手続補正１】
【補正対象書類名】明細書
【補正対象項目名】請求項３
【補正方法】変更
【補正の内容】
【請求項３】
前記導管（１０）の断面積の減少部分は、ベンチュリとして構成されていることを特徴とする請求項２に記載の装置。
【手続補正書】
【提出日】平成15年7月16日(2003.7.16)
【手続補正１】
【補正対象書類名】明細書
【補正対象項目名】特許請求の範囲
【補正方法】変更
【補正の内容】
【特許請求の範囲】
【請求項１】
下記分子式１においてＲ1及びＲ3は水素またはメチル基であり、Ｒ2及びＲ4はメチル基である化合物を合成する方法において、
ゼオライトＺＳＭ‐５触媒を使用し、３５０〜４２０℃の温度、原料の時間あたり重量の空間速度を０．２５〜１．００／ｈｒの条件でメチルエチルケトンまたは２‐ブタノールをフォルムアルデヒドとアンモニアの存在の下で気相で反応させ分子式１の化合物を得ることを特徴とする合成方法。
【化学式１】
2004519513.tif 000001
【請求項２】
前記化合物は、分子式１のＲ1がメチル基でＲ3が水素である２，３，５‐コリジンであることを特徴とする請求項１記載の合成方法。
【請求項３】
前記化合物は、分子式１のＲ1が水素でＲ3がメチル基である２，３，６‐コリジンであることを特徴とする請求項１記載の合成方法。
【請求項４】
前記化合物は、分子式１のＲ1及びＲ3がメチル基である２，３，５、６‐テトラメチルピリジンであることを特徴とする請求項１記載の合成方法。
【請求項５】
前記ＺＳＭ‐５は、ランタン、鉛、マンガン、鉄、銅、コバルトからなる群から選択された少なくとも一つの元素を含むことを特徴とする請求項１記載の合成方法。
【請求項６】
前記ＺＳＭ‐５は、触媒中のシリコン／アルミニウムの比が１５〜１４０であることを特徴とする請求項１記載の合成方法。
【請求項７】
前記ＺＳＭ‐５が含む元素は、少なくとも一つの元素がゼオライトに対して１〜１０重量％であることを特徴とする請求項５記載の合成方法。
【請求項８】
前記ＺＳＭ‐５が含む元素は、酸化物としてゼオライト中に含むことを特徴とする請求項５記載の合成方法。
【請求項９】
前記メチルエチルケトンの量は、フォルムアルデヒド１モルに対し少なくとも１モルであり、前記アンモニアの量は、メチルエチルケトンとフォルムアルデヒドの合計１モルに対して０．５〜５モルであることを特徴とする請求項１記載の合成方法。
【請求項１０】
前記合成方法は、開始剤としてメチルエチルケトン１モルに対し０．５モル以内のメタノールを添加することを特徴とする請求項１記載の合成方法。
【手続補正２】
【補正対象書類名】明細書
【補正対象項目名】００１７
【補正方法】変更
【補正の内容】
【００１７】
本発明の合成方法は全ての慣例的方法により行うことができる。例えば、ガス状のメチルエチルケトン、フォルムアルデヒド及びアンモニアを本発明の触媒上に供給し、気相で反応させる。メチルエチルケトンの量はフォルムアルデヒド１モルに対して少なくとも１モル、好ましくは０．５〜２モルである。アンモニアの量は、フォルムアルデヒドとメチルエチルケトンの合計１モルに対して通常は０．５〜５モル、好ましくは１〜３モルである。気相における触媒反応のための反応温度は、通常３００〜４５０℃、好ましくは３５０〜４００℃である。原料の混合物の時間あたり重量の空間速度は０．２５〜１／ｈｒである。反応圧力は減圧でも大気圧でも加圧してもよく、好ましくは大気圧で行う。


【手続補正３】
【補正対象書類名】明細書
【補正対象項目名】００２７
【補正方法】変更
【補正の内容】
【００２７】
得られた触媒を２，３，５‐コリジン及び２‐エチル‐５‐メチルピリジンを合成する下記反応に使用した。触媒ＨＺＳＭ‐５（４ｇ）を内径２０ｍｍ、長さ６５ｍｍのガラス管反応器に詰め、該ガラス管の触媒部分を４００℃に加熱した。それから、メチルエチルケトン、フォルムアルデヒド、アンモニアのモル比１：１：５の混合ガスを反応器の触媒部分に時間当たり重量の空間速度０．５／時間で流した。反応開始から最初の４時間で反応器から出る反応生成ガスを冷却して凝縮させ、該凝縮物をガスクロマトグラフィにより分析した。２，３，５‐コリジン及び２，３，６‐コリジンの収率は夫々３２．２％、２３．６％であり、テトラメチルピリジンの収率は６．１％、他はその他のピリジン誘導体であった。メチルエチルケトンの変換率は９５．４％であった。結果を表１に示す。


【手続補正４】
【補正対象書類名】明細書
【補正対象項目名】００４６
【補正方法】変更
【補正の内容】
【００４６】
原料ガスの時間当たり重量の空間速度を０．３７５／hrに変えた他は実施例３と同様の方法で２，３，５‐コリジンと２，３，６‐コリジンを合成した。反応開始から最初の４時間後の２，３，５‐コリジンと２，３，６‐コリジンの収率は夫々３１．２％、２２．３％であった。
【手続補正書】
【提出日】平成17年1月5日(2005.1.5)
【手続補正１】
【補正対象書類名】特許請求の範囲
【補正対象項目名】全文
【補正方法】変更
【補正の内容】
【特許請求の範囲】
【請求項１】
（a）少なくとも1つのアシル化アミノ酸40〜80重量％、
（b）少なくとも1つのタンパク質縮合物60〜20重量％
を含み、これらの量が合計で100重量％になり、任意に水を含む化粧品及び／または医薬品製剤。
【請求項２】
（a）少なくとも1つのアシル化アミノ酸45〜60重量％、
（b）少なくとも1つのタンパク質縮合物55〜40重量％
を含み、これらの量が合計で100重量％になり、任意に水を含むことを特徴とする請求項１に記載の製剤。
【請求項３】
アミノ酸と、式（I）：
R1COX      （I）
［式中、R1 は6〜22個の炭素原子を有するアルキルまたはアルケニル基であり、X は塩素、臭素またはヨウ素である。］
に相当する脂肪酸ハロゲン化物との反応によって得られるアシル化アミノ酸が使用されることを特徴とする請求項１及び／または２に記載の製剤。
【請求項４】
グルタミン酸、サルコシン、アスパラギン酸、アラニン、バリン、ロイシン、イソロイシン、プロリン、ヒドロキシプロリン、リジン、グリシン、セリン、システイン、シスチン、トレオニン、ヒスチジン及びそれらの塩と、式（I）に相当する脂肪酸ハロゲン化物との反応によって形成されるアシル化アミノ酸が使用されることを特徴とする請求項１〜３のいずれかに記載の製剤。
【請求項５】
植物性または海洋性タンパク質、ミルク、絹またはカシミヤタンパク質のタンパク質加水分解物と、式（I）に相当する脂肪酸ハロゲン化物との反応によって形成されるタンパク質縮合物が使用されることを特徴とする請求項１〜４のいずれかに記載の製剤。
【請求項６】
少なくとも70％のアシル化度を有するアシル化アミノ酸、及び少なくとも40％のアシル化度を有するタンパク質縮合物が使用されることを特徴とする、請求項１〜５のいずれかに記載の製剤。
【請求項７】
100〜4,000の平均分子量を有するタンパク質縮合物が使用されることを特徴とする、請求項１〜６のいずれかに記載の製剤。
【請求項８】
請求項１に記載の界面活性剤混合物の発泡剤としての使用。
【請求項９】
請求項１に記載の界面活性剤混合物の乳化剤としての使用。
【手続補正２】
【補正対象書類名】明細書
【補正対象項目名】００２７
【補正方法】変更
【補正の内容】
【００２７】
（膨潤剤）
水相用の適当な膨潤剤は、モンモリロナイト、粘土鉱物、Pemulen、及びアルキル修飾 Carbopol タイプ（Goodrich）である。他の適当なポリマー及び膨潤剤は、R. Lochhead の、 Cosm. Toil. 108, 95（1993）に記載されている。
【手続補正書】
【提出日】平成16年6月11日(2004.6.11)
【手続補正１】
【補正対象書類名】特許請求の範囲
【補正対象項目名】全文
【補正方法】変更
【補正の内容】
【特許請求の範囲】
【請求項１】
骨の代謝病の予防および／または治療のための組成物であって、
少なくとも１つのビスホスホネート、
カルボキシメチルセルロースおよびキサンタン・ガムを含む増粘剤、
少なくとも１つの香味料、および
純水
を有してなる組成物。
【請求項２】
前記増粘剤がさらに微結晶性セルロースを含むことを特徴とする請求項１記載の組成物。
【請求項３】
前記ビスホスホネートが約５ｍｇから約６００ｍｇまでの量で存在し、前記増粘剤が約３０ｍｇから約１０００ｍｇまでの量で存在し、前記香味料が約１５０ｍｇから約５５０ｍｇまでの量で存在することを特徴とする請求項１または２記載の組成物。
【請求項４】
前記香味料がオレンジ香味液であることを特徴とする請求項１から３いずれか１項記載の組成物。
【請求項５】
前記ビスホスホネートが、酸、塩、水和物またはアミノ誘導体の形態にあることを特徴とする請求項１から４いずれか１項記載の組成物。
【請求項６】
前記ビスホスホネートが、アレンドロン酸一ナトリウム、パミドロン酸二ナトリウム、オルパドロン酸一ナトリウム、アミノアレンドロネート、アミノジメチルアレンドロネート、アミノパミドロネート、アミノオルパドロネート、アミノエチドロネート、ネリドロネート、エチドロネート、クロドロネート、イバンドロネート、インカドロネート、リセドロネート、ゾレンドロネート、チルドロネート、およびそれらの混合物からなる群より選択されることを特徴とする請求項１から５いずれか１項記載の組成物。
【請求項７】
前記ビスホスホネートが前記組成物中で可溶性であることを特徴とする請求項１から６いずれか１項記載の組成物。
【請求項８】
アレンドロン酸ナトリウムが約５ｍｇから約１４０ｍｇまでの量で存在することを特徴とする請求項１から７いずれか１項記載の組成物。
【請求項９】
オルパドロン酸ナトリウムが約５ｍｇから約５００ｍｇまでの量で存在することを特徴とする請求項１から７いずれか１項記載の組成物。
【請求項１０】
パミドロン酸二ナトリウムが約５０ｍｇから約６００ｍｇまでの量で存在することを特徴とする請求項１から７いずれか１項記載の組成物。
【請求項１１】
前記組成物が、ソルビトール、グリセリン、サッカリンナトリウム、シクラミン酸ナトリウム、ｐ−ヒドロキシ安息香酸メチル、ｐ−ヒドロキシ安息香酸プロピル、ソルビン酸、スクロース、染料およびそれらの組合せからなる群より選択される成分をさらに含むことを特徴とする請求項１から１０いずれか１項記載の組成物。
【請求項１２】
請求項１から１１いずれか１項記載の組成物を調製する方法であって、
（i）  適切な溶媒中にカルボキシメチルセルロースを懸濁させ、
（ii）  脱塩水中にビスホスホネートを溶解させ、
（iii）  さらに脱塩水を約６０℃の温度まで加熱し、水中にソルビン酸カリウムを溶解させ、
（iv）  工程（iii）の溶液にキサンタン・ガムを懸濁させ、
（v）  工程（iv）の混合物中にサッカリンナトリウムおよびシクラミン酸ナトリウムを溶解させ、
（vi）  工程（i）のカルボキシメチルセルロース懸濁液を工程（v）の混合物中に均質に含ませ、
（vii）  工程（vi）の混合物に工程（ii）のビスホスホネートを加え、
（viii）  工程（vii）の混合物に、その混合物の温度が一旦４０℃未満になったら、香味料を含ませ、
（ix）  脱塩水で所望の容積にし、
（x）  必要に応じて、工程（ix）の混合物を分画に分ける、
各工程を有してなることを特徴とする方法。
【請求項１３】
前記適切な溶媒がソルビトールまたはグリセリンであることを特徴とする請求項１２記載の方法。
【請求項１４】
請求項１から１１いずれか１項記載の組成物からなる骨の代謝病の予防剤および／または治療剤。
【請求項１５】
パルス投与のための請求項１４記載の予防剤および／または治療剤。
【請求項１６】
代謝骨障害用の請求項１４または１５記載の予防剤および／または治療剤。
【請求項１７】
癌の骨転移用の請求項１４または１５記載の予防剤および／または治療剤。
【請求項１８】
関節リウマチに関連する骨障害用の請求項１４または１５記載の予防剤および／または治療剤。
【請求項１９】
骨粗鬆症用の請求項１４または１５記載の予防剤および／または治療剤。
【請求項２０】
子供用の請求項１４から１９いずれか１項記載の予防剤および／または治療剤。
【請求項２１】
朝食前、昼食前および／または夕食前の飲料用の請求項１４から２０いずれか１項記載の予防剤および／または治療剤。
【手続補正２】
【補正対象書類名】明細書
【補正対象項目名】００３５
【補正方法】変更
【補正の内容】
【００３５】
さらに、本発明は、
（i）  ソルビトールまたはグリセリンのような適切な溶媒中にカルボキシメチルセルロースを懸濁させ、
（ii）  脱塩水中にビスホスホネートを溶解させ、
（iii）  さらに脱塩水を約６０℃の温度まで加熱し、水中にソルビン酸カリウムを溶解させ、
（iv）  工程（iii）の溶液にキサンタン・ガムを懸濁させ、
（v）  工程（iv）の混合物中にサッカリンナトリウムおよびシクラミン酸ナトリウムを溶解させ、
（vi）  工程（i）のカルボキシメチルセルロース懸濁液を工程（v）の混合物中に均質に含ませ、
（vii）  工程（vi）の混合物に工程（ii）のビスホスホネートを加え、
（viii）  工程（vii）の混合物に、その混合物の温度が一旦４０℃未満になったら、香味料を含ませ、
（ix）  脱塩水で所望の容積にし、
（x）  必要に応じて、工程（ix）の混合物を分画に分ける、
各工程を有してなる方法を提供する。
【手続補正３】
【補正対象書類名】明細書
【補正対象項目名】００４８
【補正方法】変更
【補正の内容】
【００４８】
薬用フルーツジュースとしてのビスホスホネートの経口溶液を調製する方法
本発明による組成物を調製する方法は、
（i）  グリセリンまたはソルビトール中にカルボキシメチルセルロースを懸濁させ、
（ii）  適量の脱塩水中にビスホスホネートを溶解させ、
（iii）  さらに脱塩水を約６０℃の温度まで加熱し、水中にソルビン酸カリウムを溶解させ、
（iv）  工程（iii）の溶液中にキサンタン・ガムを懸濁させ、
（v）  工程（iv）の混合物中にサッカリンナトリウムおよびシクラミン酸ナトリウムを溶解させ、
（vi）  工程（i）のカルボキシメチルセルロース懸濁液を工程（v）の混合物中に均質に含ませ、
（vii）  工程（vi）の混合物に工程（ii）のビスホスホネートを加え、
（viii）  工程（vii）の混合物に、その混合物の温度が一旦４０℃未満になったら、Ｍｅｒｏａｒ  ７３７８１を含ませ、
（ix）  脱塩水で所望の容積にし、
（x）  必要に応じて、工程（ix）の混合物を分画に分ける、
各工程を有してなる。
【手続補正書】
【提出日】平成15年9月30日(2003.9.30)
【手続補正１】
【補正対象書類名】特許請求の範囲
【補正対象項目名】全文
【補正方法】変更
【補正の内容】
【特許請求の範囲】
【請求項１】
ヒトにおける多発性硬化症の処置用の活性有効成分として、一般式Ｉで示される化合物および／またはその薬学的に許容され得る塩を含む医薬組成物：
【化１】
2004519469.tif 000001
〔式中、
Ｘは、ＮＣＨ3、ＯまたはＳを表し、
Ａは、非置換Ｃ1-4アルキレン、またはＣＨ3、ＣＨ2ＣＨ3、ＣＨ2ＣＨ2ＣＨ3およびＣＨ（ＣＨ3）2から独立して選択される置換基で一置換もしくは多置換された置換Ｃ1-4アルキレンを表し、
Ｍは、Ｈ；ベンゾイル；非置換Ｃ1-12アルカノイル；ＣＨ3、ＣＨ2ＣＨ3、ＦおよびＣｌから独立して選択される置換基で一置換もしくは多置換された置換Ｃ1-12アルカノイル；非置換Ｃ1-12アルキル；またはＣＨ3、ＣＨ2ＣＨ3、ＦおよびＣｌから独立して選択される置換基で一置換もしくは多置換された置換Ｃ1-12アルキルを表し、
Ｒは、ＣＨ3、ＣＨ2ＣＨ3またはＮＲ1Ｒ2を表し、ここで、Ｒ1およびＲ2は、独立して、Ｈ、ＣＨ3またはＣＨ2ＣＨ3を表し、
Ｙ1、Ｙ2およびＹ3は、Ｈ、ＣＨ3、ＣＨ2ＣＨ3、ＦおよびＣｌから独立して選択される〕。
【請求項２】
ＭがＨを表す、請求項１記載の医薬組成物。
【請求項３】
Ｙ1、Ｙ2およびＹ3の少なくとも２個がＨを表す、請求項１または２記載の医薬組成物。
【請求項４】
ＡがＣＨ2またはＣＨＣＨ3を表す、請求項１〜３のいずれか一項記載の医薬組成物。
【請求項５】
ＸがＳを表す、請求項１〜４のいずれか一項記載の医薬組成物。
【請求項６】
一般式Ｉで示される化合物が、
Ｎ−ヒドロキシ−Ｎ−（１−ベンゾ〔ｂ〕チエン−２−イルエチル）アセトアミド、
１−（１−ベンゾ〔ｂ〕チエン−２−イルエチル）−１−ヒドロキシ尿素、
Ｎ−ヒドロキシ−Ｎ−（１−ベンゾ〔ｂ〕チエン−２−イルエチル）−Ｎ′−メチル尿素、
Ｎ−ヒドロキシ−Ｎ−（１−ベンゾ〔ｂ〕チエン−２−イルエチル）−Ｎ′，Ｎ′−ジメチル尿素、
Ｎ−ヒドロキシ−Ｎ−ベンゾ〔ｂ〕チエン−２−イルメチル尿素、
Ｎ−ヒドロキシ−Ｎ−ベンゾ〔ｂ〕チエン−２−イルメチル−Ｎ′−メチル尿素、
Ｎ−ヒドロキシ−Ｎ−ベンゾ〔ｂ〕チエン−２−イルメチル−Ｎ′，Ｎ′−ジメチル尿素、
Ｎ−ヒドロキシ−Ｎ−（１−ベンゾ〔ｂ〕チエン−３−イルエチル）アセトアミド、
Ｎ−ヒドロキシ−Ｎ−（１−ベンゾ〔ｂ〕チエン−３−イルエチル）尿素、
Ｎ−ヒドロキシ−Ｎ−〔１−（３−メチルベンゾ〔ｂ〕チエン−２−イル）エチル〕尿素、および
Ｎ−ヒドロキシ−Ｎ−〔１−（５−フルオロルベンゾ〔ｂ〕チエン−２−イル）エチル〕尿素
より選択される、請求項１〜５のいずれか一項記載の医薬組成物。
【請求項７】
さらに１種以上の薬学的に許容され得る担体および／または１種以上の毒性学的に安全な補助剤を含む、請求項１〜６のいずれか一項記載の医薬組成物。
【請求項８】
さらに活性有効成分を含む、請求項１〜７のいずれか一項記載の医薬組成物。
【請求項９】
以下の形態：吸入治療剤の形態、経皮吸収治療システムの形態、胃腸治療システムの形態、錠剤、カプセル剤、糖衣剤、液剤、懸濁剤、発泡錠、軟膏剤、懸濁剤、乳剤、香膏剤、硬膏剤または投薬エーロゾルのうちの一つで調製される、請求項１〜８のいずれか一項記載の医薬組成物。
【請求項１０】
活性有効成分の濃度が、０．００１〜２．０mg/用量に達する、請求項１〜９のいずれか一項記載の医薬組成物。
【請求項１１】
活性有効成分の濃度が、０．０１〜２．０mg/用量に達する、請求項１０記載の医薬組成物。
【請求項１２】
活性有効成分の濃度が、０．１〜１．０mg/用量に達する、請求項１０記載の医薬組成物。
【請求項１３】
医薬が、１日１〜５回の投薬量用に調製される、請求項１〜１２記載の医薬組成物。